(57)【特許請求の範囲】
【請求項１】
動電型スピーカの磁気回路部分を磁性体のシールドカバー１で覆った構造の防磁型スピーカに於いて、前記シールドカバー１の外表面が、内面にエンボス加工された成型金型により絞り加工時に梨地加工面１ａとされていることを特徴とする防磁型スピーカ。
【請求項２】
動電型スピーカの磁気回路部分を磁性体のシールドカバー１で覆った構造の防磁型スピーカに於いて、前記シールドカバー１の外表面が、金型で成形加工後にショット加工することで梨地加工面１ａとされていることを特徴とする防磁型スピーカ。
【請求項３】
磁性体のシールドカバー１ので覆った構造の防磁型スピーカに於いて、前記シールドカバー１の梨地加工面１ａに、インク層１４からなる捺印表示を設けた請求項１または２に記載の防磁型スピーカ。
【発明の詳細な説明】
【０００１】
【産業上の利用分野】
本発明は、防磁型の動電型スピーカに関し、特に外磁型磁気回路並びにキャンセル用の補助磁石を使用した動電型スピーカの磁気回路部をシールドカバーで覆った構造の防磁型スピーカのシールドカバーに関する。
【０００２】
【従来の技術】
従来における防磁型スピーカの代表的な構造は、その断面を図４に示す如く、フレーム６の背面に中心にポール２を突設した下プレート３の上面にリング形の磁石４を載置し更に磁石４の上面にリング形の上プレート５を載置した外磁型磁気回路を固定し、前記フレーム６の内部に中心にボイスコイル９を取付けた振動板８をエッジ７及びダンパ１０を介して取付けた動電型のスピーカに於て、前記フレーム背面に固定された磁気回路の背面に漏洩磁束キャンセル用の補助磁石１３を取付け、更に当該補助磁石１３を含めた磁気回路部を磁性体からなるシールドカバー１で覆った構造となっている。尚、同図に於いて１１は錦糸線、１２は出力端子である。
【０００３】
更にこのシールドカバー１の外表面の一部にスタンプ等の手段によって当該スピーカの品番、メーカー名、定格などが表示される。
【０００４】
【発明が解決しようとする課題】
この様な構造の従来のスピーカのシールドカバー１は通常圧延鋼板を絞り加工して製造されるが、その外表面は防錆メッキが施されている事と相俟って、圧延鋼板の生地の表面そのままに殆ど鏡面に近い平滑な状態となっていることが通常であり、この様な平滑な表面に前述のごとくスタンプによって当該スピーカの品番、メーカー名、定格などが捺印表示されるので、捺印後の工程で例えば包装具などが接触するとインク層１４が擦り取られて消滅すると言う欠点があった。このため、スピーカのシールドカバー１と包装具との間に捺印消え防止用のポリエチレンシート等を挿入していたため、部品点数が多くなる欠点があった。
【０００５】
更に図３のごとくシールドカバー１の背面に補助磁石１３の位置決め用の凹部１ｂが形成されている場合には当該凹部１ｂの凹んだ底部に捺印を施すことによって前記欠点を免れ得る製品もあるが、この凹部１ｂはその面積が補助磁石１３の内形寸法に規制されるので全てのスピーカに適用できるとは限らず、表示項目が多い場合はこの手段は応用できないという解決すべき課題があった。
【０００６】
そこで本発明は、上記従来例に付する欠点を解消し、シールドカバー１の表面を凸凹にし捺印用インクの密着性を改善することにより製造工程に於ける慎重な作業乃至余計な気配りなどを不要とし、又、包装具とシールドカバーの間に挟んでいる捺印消え防止用のポリエチレンシート等を不要とすることで生産性を高め且つ製品の不良率を低下させるとともに、安価で高品質のスピーカを提供することを目的とする。
【０００７】
【課題を解決するための手段】
上記目的を達成するための本発明に係る防磁型スピーカを、実施例を示す図１、図２を用いて説明すると、請求項１に該当する第１発明は、動電型スピーカの磁気回路部分を磁性体のシールドカバーで覆った構造の防磁型スピーカに於いて、前記シールドカバー１の外表面が、内面にエンボス加工された成型金型により絞り加工時に梨地加工面１ａとされていることを特徴とする防磁型スピーカである。
【０００８】
請求項２に該当する第２発明は、動電型スピーカの磁気回路部分を磁性体のシールドカバーで覆った構造の防磁型スピーカに於いて、前記シールドカバー１の外表面が、金型で成形加工後にショット加工することで梨地加工面１ａとされていることを特徴とする防磁型スピーカである。
【０００９】
請求項３に該当する第３発明は、磁性体のシールドカバー１で覆った構造の防磁型スピーカに於いて、前記シールドカバー１の梨地加工面１ａに、インク層１４からなる捺印表示を設けた請求項１または２に記載の防磁型スピーカである。
【００１０】
【作用】
そして、この様な構成の防磁型スピーカでは、
【００１１】
（１）シールドカバー１の表面が梨地加工面１ａとされることでいわゆる粗面となるので、捺印されたインク層１４との接触面積が増大し密着性が良好となり、包装具など他の物品と触れ合い且つ擦れ合っても表示が消滅する事はない。
【００１２】
（２）捺印表示が消滅する事がないので製造工程に於ける慎重な作業乃至余計な気配りなどが不要となり、又、包装具とシールドカバーの間に挟んでいる捺印消え防止用のポリエチレンシート等を不要とすることで生産性を高め且つ製品の不良率を低下させることで安価で高品質のスピーカを提供することができる。
【００１３】
（３）シールドカバー１の梨地加工は、成型金型の内面にエンボス加工しておくことにより従来と同じ工数で絞り加工時に施す事ができ、特別なコストをかける事がなく部品価格は上昇しない。
【００１４】
（４）シールドカバー１の全表面を梨地加工面１ａとしてインク層１４の密着性を良好とする事で、例えば図３に断面を示したような補助磁石１３の位置決めガイドを兼用としたシールドカバーであって凹部１ｂが小面積の場合でも自由に凸部１ｃ、側面部１ｄ等にも捺印表示可能部位を拡張する事が可能となる。
【００１５】
【実施例】
本発明防磁型スピーカの断面を示す図１，図２により実施例を詳述すると、本発明の防磁型スピーカ本体部は図１により、フレーム６の背面に中心にポール２を突設した下プレート３の上面にリング形の磁石４を載置し更に磁石４の上面にリング形の上プレート５を載置した外磁型磁気回路を固定し、前記フレーム６の内部にエッジ７及びダンパ１０を介して中心にボイスコイル９を取付けた振動板８を取付けた動電型のスピーカであって、前記フレーム背面に固定された磁気回路の背面に漏洩磁束キャンセル用の補助磁石１３を取付け、更に当該補助磁石１３を含めた磁気回路部を磁性体からなるシールドカバー１で覆った構造となっている。尚、図に於いて１１は錦糸線、１２は入力端子である。
【００１６】
上記シールドカバー１は図２の拡大断面図が示すように、外表面の全部又は少なくとも品番等が表示される部位が梨地加工面１ａとなっている。この様な梨地加工面１ａはシールドカバー１の成型金型の内面にエンボス加工しておくことにより従来と同じ工数で絞り加工時に施す事ができる。或いは通常の成型金型で絞り加工後ショット加工することにより表面を梨地加工面１ａとすることができる。
【００１７】
シールドカバー１が図３に示すようにその背面に補助磁石１３の位置決め用の凹部１ｂが形成されている場合には同図のようにシールドカバー１の全表面を梨地加工面１ａとし、凹部１ｂが小面積で全部の表示が不可能な場合でも自由に凸部１ｃにインク層１４ｃ，側面部１ｄにインク層１４ｄのごとく捺印表示を拡張することができる。
【００１８】
以上、本発明に係る防磁型スピーカについて代表的と思われる実施例を基に詳述したが、本発明によるスピーカのシールドカバーの実施態様は上記実施例の構造に限定されるものではなく、前記した特許請求の範囲に記載の構成要件を具備し、本発明にいう作用を呈し、以下に述べる効果を有する限りにおいて、適宜改変して実施しうるものである。
【００１９】
【発明の効果】
本発明に係る防磁型スピーカは以下に述べる効果を有する。
【００２０】
（１）シールドカバーの表面が梨地となっていわゆる粗面となるので、捺印されたインク層との接触面積が増大し密着性が良好となり、包装具など他の物品と触れ合い且つ擦れ合っても表示が消失する事はない。従って表示不良による作業上のトラブル、並びに製品不良がなくなる。
【００２１】
（２）捺印表示が消失する事がないので製造工程に於ける慎重な作業乃至余計な気配りなどを不要とすることで生産性を高め且つ製品の不良率を低下させることで安価で高品質のスピーカを提供することができる。
【００２２】
（３）シールドカバーの梨地加工は、成型金型の内面にエンボス加工しておくことにより従来と同じ工数で絞り加工時に施す事ができ、特別なコストをかける事がなく部品価格は上昇しない。従って効果（１）、効果（２）とも相俟って全体として製造コストを引き下げる事ができる。
【００２３】
（４）シールドカバーの全表面を梨地加工面としてインク層の密着性を良好とする事で、例えば図３に断面を示したようなシールドカバーであって凹部が小面積の場合でも自由に凸部、側面部等にも捺印表示を拡張する事が可能となる。従って表示に無理が生ずる事なく明瞭であり、組立て作業上且つ部品管理上極めて有利である。
【００２４】
以上の利点によって外観が優れ、製造且つ製造管理が容易なスピーカを安価に提供することができるという効果を有するものである。
【図面の簡単な説明】
【図１】本発明防磁型スピーカの実施例の断面図。
【図２】実施例のシールドカバーの要部拡大断面図。
【図３】他の変形例のシールドカバーの拡大断面図。
【図４】従来の防磁型スピーカの断面図。
【符号の説明】
１  シールドカバー
１ａ  梨地加工面
１ｂ  凹部
１ｃ  凸部
１ｄ  側面部
２  ポール
３  下プレート
４  磁石
５  上プレート
６  フレーム
７  エッジ
８  振動板
９  ボイスコイル
１０  ダンパ
１１  錦糸線
１２  入力端子
１３  補助磁石
１４  インク層
【図１】
0003561984.tif 000002
【図２】
0003561984.tif 000003
【図３】
0003561984.tif 000004
【図４】
0003561984.tif 000005